(57)【要約】      （修正有）【課題】屋根面がフラットな陸屋根の小規模建物の場合や、無落雪住宅のようなパラペットを備える建物において、設置を容易とするパラペット設置型のソーラーパネルを提供する。【解決手段】建物１１のパラペット１２の上に、ボルトを介して断面略三角形を呈する架台２０を固定し、この架台にソーラーパネル本体を固定する。架台は、難錆金属パネルを用いて内部中空に成形し、前記架台の底面は、前記パラペットの上面との間に若干の隙間Ｓを備えるよう座台３５を介して設置する。ソーラーパネル本体３０の裏面に、ナットまたはボルトをスライドさせる案内レールを設け、該案内レールに配したナットまたはボルトを介して、前記架台２０に対してソーラーパネルを固定する。【選択図】図１
0003186192.tif 000002
【実用新案登録請求の範囲】
【請求項１】
建物のパラペットの上に、ボルトを介して断面略三角形を呈する架台を固定し、この架台にソーラーパネル本体を固定するものであって、
前記架台は、難錆金属パネルを用いて内部中空に成形し、
前記架台の底面は、前記パラペットの上面との間に若干の隙間を備えるよう座台を介して設置する一方、
前記ソーラーパネル本体の裏面に、ナットまたはボルトをスライドさせる案内レールを設け、
該案内レールに配したナットまたはボルトを介して、前記架台に対して前記ソーラーパネルを固定することを特徴とするパラペット設置型のソーラーパネル。
【請求項２】
案内レールは、パラペットの上面と略平行になるよう配することを特徴とする請求項１記載のパラペット設置型のソーラーパネル。
【請求項３】
架台は、
分割成形したパネル状のパーツ材を結合させ、
当該パネル状のパーツ材同士をネジ止め固定して成形することを特徴とする請求項１または請求項２記載のパラペット設置型のソーラーパネル。
【考案の詳細な説明】
【技術分野】
【０００１】
本考案は、ソーラーパネルの設置構造に係り、とくに屋根部にパラペットを備える小規模住宅等におけるソーラーパネルの設置技術に関する。
【背景技術】
【０００２】
ソーラーパネルは、各種のビルディングの屋上や住宅の屋根に設置される。通常、ソーラーパネルの設置は、屋上または屋根面に架台を固定し、この架台の上にソーラーパネル本体を設置固定する構造をとる。
【０００３】
例えば、下記特許文献１には、架台のネジ止め固定に伴う屋根のダメージと、それに伴う漏水を防止するため、永久磁石を用いてソーラーパネル用の架台を固定する技術が提案されている。
【０００４】
また、下記特許文献２には、架台のネジ止め固定に伴う屋根のダメージを防止するため、防水パッキンを備えた特殊構造の六角ボルトを用いる旨が開示されている。
【先行技術文献】
【特許文献】
【０００５】
【特許文献１】特開２０１３−０４０４６２号
【特許文献２】特開２０１２−２２００２２号
【考案の開示】
【考案が解決しようとする課題】
【０００６】
問題は、建物の種類によっては、ソーラーパネルを設置したくても、種々の事情から設置が簡単ではないケースがあることである。
【０００７】
特許文献１、２のように、従来の提案技術は、屋上のコンクリート製の陸屋根や、傾斜屋根の屋根板の防水する点では優れているが、ソーラーパネルの導入に際しては、漏水以外にも採用をためらう事由がある。
【０００８】
このようなケースとしては、屋上または屋根部にパラペットを備える比較的規模の小さな建物に多い。
【０００９】
例えば、屋上の床面がフラットな陸屋根の場合、ソーラーパネルを設置することは不可能ではないが、屋上の床面の大きな面積をソーラーパネルが占めるため、発電以外の他目的で屋上を有効利用する可能性がなくなってしまう。
【００１０】
また、北海道や東北地方の降雪地では、図８に示すような、いわゆる無落雪住宅（無落雪建物）１が普及している。無落雪住宅１は、屋根部の外周部にパラペット２を設ける一方、屋根部の中央に排水溝３を設け、この排水溝３に向かって緩やかに下方傾斜させた屋根板４を備える。
【００１１】
このような無落雪住宅１では、屋根板のダメージを軽減する従来の技術を適用すれば、屋根板４の上にソーラーパネルを設置することは不可能ではない。
【００１２】
しかしながら、無落雪住宅１は降雪地の住宅であるため、屋根上に大きな面積をもった架台やソーラーパネルが存在すると、降雪の貯留容積（貯雪容量）が減ってしまい、降雪地で大きな問題となっている雪庇がより形成されやすくなるという問題が生ずる。
【００１３】
そこで、本考案の目的は、屋根面がフラットな陸屋根の小規模建物である場合や、無落雪住宅のような降雪地の小規模建物において、ソーラーパネルの設置をより容易とする点にある。
【課題を解決するための手段】
【００１４】
前記目的を達成するため、本考案に係るパラペット設置型のソーラーパネルは、建物のパラペットの上に、ボルトを介して断面略三角形を呈する架台を固定し、この架台にソーラーパネル本体を固定するものであって、前記架台は、難錆金属パネルを用いて内部中空に成形し、前記架台の底面は、前記パラペットの上面との間に若干の隙間を備えるよう座台を介して設置する一方、前記ソーラーパネル本体の裏面に、ナットまたはボルトをスライドさせる案内レールを設け、該案内レールに配したナットまたはボルトを介して、前記架台に対して前記ソーラーパネルを固定する（請求項１）。
【００１５】
このソーラーパネルは、ボルトを介してパラペット上に固定した断面略三角形の架台にソーラーパネル本体を固定するので、建物の屋根にソーラーパネル本体を設けなくても、パラペットに配したソーラーパネル本体によって発電を行うことが出来る。このため、屋上面積が小さな小規模建物においても、屋根の漏水防止、屋上の有効利用が可能となるので、ソーラーパネル装置の設置や導入がより容易となる。
【００１６】
案内レールは、パラペットの上面と略平行になるよう配する場合がある（請求項２）。
【００１７】
請求項１に記載したように、本考案に係るソーラーパネルは、パラペット上に固定した架台に対してソーラーパネル本体を固定する場合に、ソーラーパネル本体の裏面に設けた案内レールと、この案内レールに配したナットまたはボルトを用いて固定する。
【００１８】
案内レールを用いるのは、架台とソーラパネル本体のネジ止め位置を自由に設定出来るようにするためである。案内レールに配したナットまたはボルトをスライドさせれば、固定位置を可変出来るからである。この場合、案内レールは左右方向（パラペットの上面と略平行となる方向）、または上下方向（パラペットの上面と略垂直となる方向）に設定できるが、左右方向に設けることによって、パラペットの長手方向の寸法に応じて、ソーラーパネル本体の設置数や寸法を増減変更する際の位置決め作業が容易となる。
【００１９】
架台は、分割成形したパネル状のパーツ材を結合させ、当該パネル状のパーツ材同士をネジ止め固定して成形する場合がある（請求項３）。
【００２０】
架台は、難錆金属パネルを用いて内部中空の断面略三角形に成形する（請求項１）。架台の成形は、金属パネルを折曲成形するだけでも良い。しかしながら、分割成形したパネル状のパーツ材を結合させ、パーツ材同士をネジ止め固定して成形するようにすれば、架台とソーラーパネル本体との固定作業が容易となる。なぜなら、ソーラーパネル本体をボルト固定する際に、架台の一面を開放しておき、固定作業後に開放面を閉じることが出来るからである。
【考案の効果】
【００２１】
本考案に係るパラペット設置型のソーラーパネルによれば、屋根面がフラットな陸屋根の小規模建物の場合、あるいは無落雪住宅のような降雪地の小規模建物において、ソーラーパネルの設置をより容易とすることが出来る。
【図面の簡単な説明】
【００２２】
【図１】実施形態に係るソーラーパネルを背面から部分例示する図である。
【図２】実施形態に係るソーラーパネルを建物とともに例示する図である。
【図３】実施形態に係るソーラーパネルの取付例を示す断面図である。
【図４】図２に示すソーラーパネルの雪庇防止効果を例示する図である。
【図５】実施形態に係るソーラーパネルを建物とともに例示する第二の図である。
【図６】図５に示すソーラーパネルの雪庇防止効果を例示する図である。
【図７】実施形態に係るソーラーパネルの取付例を示す第三の図である。
【図８】一般的な無落雪住宅の屋根を例示する図である。
【考案を実施するための形態】
【００２３】
図１、図２は、本考案に係るソーラーパネルの外観例を示すものである。
【００２４】
このソーラーパネル１０は、建物１１のパラペット１２の上に、断面略三角形を呈する架台２０を固定し、この架台２０にソーラーパネル本体３０を固定するものである。架台２０は、パラペット１２の上面との間に若干の隙間Ｓを備えるよう座台３５を介して設置する。１４は、パラペット１２に被冠した笠木、１５は、屋上面（陸屋根）、２１は、架台２０を構成するパネル状のパーツ材を結合させるネジ、２２は、架台２０の側面を閉じる側板である。
【００２５】
図３は、実施形態に係るソーラーパネル１０の取付構造を例示するものである。
【００２６】
以下、各部の構成を具体的に説明する。
【００２７】
まず、パラペット１２の上に架台２０を固定設置するため、笠木１４の下にホルダ部材１６を設け、このホルダ部材１６をボルトＢ１を介してパラペット１２に固定しておく。笠木１４の上には座台３５を設ける。
【００２８】
なお、図３ではホルダ部材１６の左右端部を笠木１４の左右端部と接触させるように描いてある。このようにすれば、ホルダ部材１６の端部が笠木１４によって拘束される結果、耐風性が高まる。しかし、必ずしもこのような構造をとる必要はない。例えば、ホルダ部材１６を固定するボルトＢ１の数を増やすことによっても、ホルダ部材１６の動きを厳しく拘束できるからである。
【００２９】
ホルダ部材１６は、例えば金属または樹脂によって成形し、パラペット１２の端縁近傍に六角ボルト等の角ボルトＢ２の頭部を収納する格納スペース１７を設けておく。格納スペース１７は、少なくともパラペット１２の端縁近傍に二個設けることが望ましい。少なくとも座台３５を二つ以上設置することによって、架台２０を固定する際のバランスを確保するためである。座台３５は、例えば、前記角ボルトＢ２およびナットを介して固定する。なお、この実施形態では座台３５を二つに分割して示してあるが、一個の座台（３５）でもよい。いずれの場合も、座台３５に対しては二つ以上のボルト(Ｂ２)を用いて架台２０を安定させることが望ましい。
【００３０】
ホルダ部材１６をパラペット１２上に固定する角ボルトＢ２の上端部は、架台２０の底面２４を貫いており、ナットＮ１を介して締め固定する。二つ以上の角ボルトＢ２とナットＮ１により、架台２０の底面２４とホルダ部材１６が強固に締結固定される。
【００３１】
内部中空で断面略三角形を呈する架台２０は、例えば、難錆金属を用いて三分割したパーツ材２４〜２６によって成形することができる。例えば、底面を構成するパーツ材（２４）、背板となるパーツ材２５、傾斜面を構成するパーツ材２６をもって構成する等である。
【００３２】
架台２０は、一枚の金属パネルを折曲成形して製造することも出来るが、その場合は、架台２０の底面２４の固定や、ソーラーパネル本体３０を固定するための構造が複雑になったり、作業効率が低下する等の難が生じる可能性がある。しかし、架台２０を複数のパーツ材２４〜２６の組み合わせで成形可能とすれば、このような難点も比較的容易に解消できる。
【００３３】
架台２０を複数のパーツ材２４〜２６の組み合わせで成形する場合は、嵌合用の凹凸部を設けて互いに嵌合させた後、ビス等のネジ部材を用いてしっかりと固定することが望ましい。
【００３４】
架台２０とソーラーパネル本体３０は、ソーラーパネル本体３０の裏面に配した案内レール３１と、この案内レール３１に納めた角状ナット（または角状ボルト）３２を利用して固定する。３４は、角状ナット（または角状ボルト）３２と対をなす架台２０側のボルト（またはナット）である。
【００３５】
架台２０とソーラーパネル本体３０との固定だけでいえば、他にも取り得る構造が複数あるが、部品点数を抑え、固定作業の効率を高めるには、ソーラーパネル本体３０の裏面にチャンネル状の案内レール３１を設けて角状ナット（または角状ボルト）３２をスライド可能に配しておくことが望ましい。
【００３６】
このような案内レール３１と、当該案内レール３１に配したスライド可能な角状ナット（または角状ボルト）３２を用いれば、例えば、架台２０の傾斜面を構成するパーツ材２６にソーラーパネル本体３０を固定するときも、複数種類の作業手順をとることが可能となる。
【００３７】
例えば、作業性や搬送効率から云えば、通常、現場においてソーラーパネル本体３０をパーツ材２６に固定することが望ましい。この場合、案内レール３１を使用すれば、現場における位置決め等を容易に行うことが出来る。もちろん、傾斜面を構成するパーツ材２６とソーラーパネル本体３０とを予め固定しておいても良い。
【００３８】
案内レール３１は、この実施形態では、例えばパラペット１２の上面と平行に二本設けてある。架台２０に対してソーラーパネル本体３０を取り付ける際に、案内レール３１に納めた角状ナット（または角状ボルト）３２を横方向にスライド可能として、位置決め作業を容易化させるためである。案内レール３１を上下に二本設けるのは、ソーラーパネル本体３０の裏面を上下二箇所で固定支持し、風による揺動を防止するためである。ソーラーパネル本体３０の裏面の上下の固定箇所は、二点支持に限らず三点支持以上に増やすことができる。その場合は、案内レール３１の配設本数を増やせばよい。また左右の支持点を増加させる場合は、案内レール３１に配したスライド可能な角状ナット（または角状ボルト）３２を適宜増加する。その場合は、架台２０側のボルト（またはナット）３４も必要数増加させるのは当然である。
【００３９】
以上のように、この実施形態に係るソーラーパネル１０によれば、無落雪住宅や陸屋根面積が小さな小規模建物において、パラペット１２を利用して比較的容易にソーラーパネル本体３０を設置することが可能となる。
【００４０】
またソーラーパネル本体３０を固定する架台２０は、ホルダ部材１６、ボルトＢ１、座台３５を介してしっかりとパラペット１２上に固定できるので、風による揺動を確実に抑えることが出来る。このため、架台２０に固定したソーラーパネル本体３０は、陸屋根等の各種屋根部に設置した場合と異ならない固定強度を確保できる。
【００４１】
本考案に係る架台２０は、座台３５を介して設け、パラペット１２の上面（笠木１４の上面）との間に若干の隙間Ｓ（図１参照）を設けてある。この隙間Ｓは、降雪地における危険な雪庇の成長を阻止するためのものである。
【００４２】
雪庇は、パラペット１２上面の上に雪が積もる結果として成長する。図４に示すように、パラペット１２上面の横幅Ｗは、雪が積もって塊になり成長を続けるには十分な寸法をもっているからである。しかし、座台３５を介して架台２０を設置すると、雪が上方に溜まって成長することが出来ない。このため、パラペット１２の上に雪庇が形成されることはなくなる。
【００４３】
さらに云えば、本考案に係るソーラーパネル１０を設けた場合、パラペット１２よりも上に、座台３５、架台２０、ソーラーパネル本体３０の上部部分の寸法が加算され、図４にＨ１として示した嵩上げ寸法が生まれる。この結果、屋根Ｒに積もった雪が、雪庇となって外方に突出する際の降雪量もＨ１の分量だけ余裕が出来、大量の降雪があった場合でも雪庇形成が困難となる。
【００４４】
また、すでに述べたように、雪庇の成長は一定量の雪が横方向に積もって氷雪塊となる必要があるが、ソーラーパネル本体３０の上端縁は、雪庇が成長するような降雪量を積もらせる横寸法はないので、雪は塊になる前に切断され、雪庇の成長を阻止する。
【００４５】
本考案に係るソーラーパネル１０は、以上の実施形態に限定されない。例えば、図５に示すように、架台２０の傾斜面は、屋根Ｒの中央部に向かって設置しても良い。この場合は、ソーラーパネル本体３０も屋根Ｒの中央部方向に向かって設置できる。
【００４６】
この場合は、図６に示すように、屋根Ｒからソーラーパネル本体３０の傾斜面を吹き上がる風（矢印Ｄ）が生じやすく、風Ｄによって雪が飛ばされるため、図４の場合と比較して、雪庇の形成がより困難となる。
【００４７】
ソーラーパネル本体３０の設置方向は、建物１１の立地条件（建物１１の向き、隣接家屋との関係による日当たりの具合等）によって設定することが望ましい。建物１１の立地条件によっては、図７に示すように、異なる方角のパラペット１２の上にソーラーパネル１０を設けても良い。
【００４８】
ソーラーパネル本体３０の裏面に案内レール３１を設ける場合は、例えば、ソーラーパネル本体３０の外周を囲うフレーム材（図示せず）に案内レール３１を掛け渡して構成することが出来る。案内レール３１は、前記実施形態のように横方向（パラペット１２と略平行）に限らず、上下方向に設けても良い。
【００４９】
前記説明では架台２０を垂直三角形として図示したが、架台２０の形状は適宜の三角形状に成形できる。二等辺三角形、正三角形、不等辺三角形などである。
【００５０】
また前記説明では、架台２０の傾斜面（２６）にソーラーパネル本体３０を固定する旨説明したが、架台２０が直角三角形の場合には、ソーラーパネル本体３０を垂直面（背板；２５）に固定しても構わない。笠木１４またはホルダ部材１６の角度調整により、架台２０の垂直面（２５）の角度は、設置時に自由に調整できるからである。
【符号の説明】
【００５１】
１０  ソーラーパネル
１１  建物
１２  パラペット
１４  笠木
１５  屋上面
１６  ホルダ部材
１７  格納スペース
２０  架台
２１  ネジ
２２  側板
２４  底面（底面となるパーツ材）
２５  垂直面（背板となるパーツ材）
２６  傾斜面（傾斜面を構成するパーツ材）
３０  ソーラーパネル本体
３１  案内レール
３２  角状ナット（または角状ボルト）
３４  （架台側の）ボルト（またはナット）
３５  座台
Ｂ１  ボルト
Ｂ２  角ボルト
Ｄ  風
Ｈ１  嵩上げ寸法
Ｎ１  ナット
Ｒ  屋根
Ｓ  隙間
Ｗ  横幅
【図１】
0003186192.tif 000003
【図２】
0003186192.tif 000004
【図３】
0003186192.tif 000005
【図４】
0003186192.tif 000006
【図５】
0003186192.tif 000007
【図６】
0003186192.tif 000008
【図７】
0003186192.tif 000009
【図８】
0003186192.tif 000010